(57)【要約】【課題】  緯度、経度の位置と水深の深度を同時に正確に測量する水底測量を行い、また、水底の地物をきめ細かく立体的に表現できる水底三次元画像を作成すること。【解決手段】ＧＰＳ電波受信装置８を有する位置検出装置２にて位置情報データを獲得し、水深検出装置３にて水面下の深度情報データを獲得し、位置情報データと深度情報データから位置深度データを作成すること、及び、該位置深度データに基づき、位置情報データを平面上にプロットしてポイントを表示し、該ポイントを結ぶ三角形を形成し、前記ポイントの有する深度情報データに基づいて該三角形内に創出ポイントを形成し、該ポイントと該創出ポイントの少なくとも何れか一方を頂点とする新規三角形を前記三角形に代えて形成し、該新規三角形に着色して水底三次元画像作を作成することとした。【選択図】図１
2007309824.tif 000002
【特許請求の範囲】
【請求項１】
ＧＰＳ電波受信装置を有する位置検出装置と水深検出装置とを備え水上を移動して位置と深度を観測する測量手段と、ＧＰＳ電波に基づく位置情報データと水面下の深度情報データから位置深度データを作成する三次元データ作成手段とを備える水底三次元測量システム。
【請求項２】
三次元データ作成手段は、水深検出装置に基づく深度情報データに観測時における水面水位データによる補正を加えて位置深度データを作成する請求項１記載の水底三次元測量システム。
【請求項３】
前記位置情報データは、前記測量手段が水上をらせん状に航行することで検出した位置情報データである請求項１または請求項２記載の水底三次元測量システム。
【請求項４】
前記測量手段は、前記位置情報データと前記深度情報データを三次元データ作成手段に送信する無線通信手段を備える請求項１〜請求項３何れか１項記載の水底三次元測量システム。
【請求項５】
位置情報データと深度情報データとを有する位置深度データに基づき、位置情報データを平面上にプロットしポイントを表示するポイント表示手段と、
該ポイントを頂点とする原始三角形を形成する原始三角形形成手段と、
前記位置深度データの有する深度情報データから前記原始三角形内に新たな創出ポイントを設け、原始三角形を消去して、前記ポイントと該創出ポイントの少なくとも何れか一方を頂点とする新規三角形を形成する再三角形形成手段と、
前記平面上に形成された新規三角形に着色する着色表示手段と、
を備え、着色された新規三角形の集合体を水底三次元画像とする水底三次元画像作成システム。
【請求項６】
前記位置深度データの有する深度情報データから前記原始三角形内に等高線を作成する等高線形成手段を有し、
前記再三角形形成手段が、該等高線上に新たな創出ポイントを設けるものである請求項５記載の水底三次元画像作成システム。
【請求項７】
位置情報データに基づく前記プロットが、らせん状に繋がって視認される位置深度データである請求項５記載の水底三次元画像作成システム。
【請求項８】
地上三次元画像を付加するレイヤー積層手段を有する請求項５〜請求項７何れか１項記載の水底三次元画像作成システム。
【請求項９】
請求項１〜請求項４何れか１項記載の水底三次元測量システムを備える請求項５〜請求項８何れか１項記載の水底三次元画像作成システム。
【請求項１０】
ＧＰＳ電波受信装置を有する位置検出装置にて位置情報データを獲得し、水深検出装置にて水面下の深度情報データを獲得し、位置情報データと深度情報データから位置深度データを作成する三次元データ作成手順を実行し、かつ
該位置深度データに基づき、位置情報データを平面上にプロットしてポイントを表示し、該ポイントを結ぶ三角形を形成し、前記ポイントの有する深度情報データに基づいて該三角形内に創出ポイントを形成し、該ポイントと該創出ポイントの少なくとも何れか一方を頂点とする新規三角形を前記三角形に代えて形成し、該新規三角形に着色する水底三次元画像作成手順を実行する水底三次元画像作成方法。
【請求項１１】
新たに形成された新規三角形に基づいて、さらに創出ポイントを形成し、この創出ポイントをも含めてさらに新たな新規三角形を形成する手順を含む請求項１０記載の水底三次元画像作成方法。
【発明の詳細な説明】
【技術分野】
【０００１】
本発明は、水底に存する地形や構築物の形状を捉えるための水底三次元測量システムと、該システムを用いて測量したデータから水底地物を鳥瞰図で表出する水底三次元画像作成システム、および水底三次元画像作成方法に関する。
【背景技術】
【０００２】
水底における測量は、ダムにおける堆積土の調査や、海洋における洗掘の調査などにおいて極めて重要である。従来、こうした水底測量を行うには、船上から探索棒やワイヤを水底に垂らして水深を調査するか、探索棒に変えて魚群探知機を用いて水深を調査する方法が行われている。魚群探知機による水底測量に関する技術は例えば特開平８−２９５３０号公報（特許文献１）に記載されている。
【特許文献１】特開平８−２９５３０号公報
【発明の開示】
【発明が解決しようとする課題】
【０００３】
しかしながら、探索棒等で測量する方法では、水深が深い場合における測量が困難であり、また、測深時には船の運航を止め探索棒等を上げ下げするという手間のかかる方法であった。また、魚群探知機で測量するにしても、例えば図２０で示すような断面的な水深図を得るのがせいぜいであり、地形の三次元的な把握が困難で、堆積土の計量なども不可能であった。そのため、こうした水深データでは、水底の漠然とした状況は把握できるものの、位置情報データの正確性に乏しく、また、立体的な把握が困難であった。
【０００４】
そこで本発明は、位置情報データを含めた正確な水底測量を可能とするとともに、水底の地物を立体的に表す水底三次元画像を作成することを目的としてなされたものであり、「等高線相乗細分法」と呼ぶ手法を完成させたものである。
【課題を解決するための手段】
【０００５】
すなわち本発明は、ＧＰＳ電波受信装置を有する位置検出装置と水深検出装置とを備え、水上を移動して位置と深度を観測する測量手段と、ＧＰＳ電波に基づく位置情報データと水面下の深度情報データから位置深度データを作成する三次元データ作成手段とを備える水底三次元測量システムを提供する。
【０００６】
ＧＰＳ電波受信装置を有する位置検出装置と水深検出装置とを備え、水上を移動して位置と深度を観測する測量手段と、ＧＰＳ電波に基づく位置情報データと水面下の深度情報データから位置深度データを作成する三次元データ作成手段とを備えたため、ＧＰＳ電波の届かない水中にまで、ＧＰＳシステムを利用した精度の高い位置情報データをもたらすことができ、深度情報データと融合させることで水底における精密な三次元測量を行うことができる。そして、この位置深度データに基づき、水中鳥瞰図である水底三次元画像を作成することができる。ここで「鳥瞰図」とは、空中から地上を見おろしたように描いた図を言い、水中の地物を描いた図には厳密には当てはまらず鯨瞰図と言うべきものであるが、ここでは水中の地物を三次元的に表す場合も「鳥瞰図」と呼ぶものとする。
【０００７】
位置深度データは、位置情報と深度情報とを同期させて作成することができる。位置情報と深度情報とを同期させることで、緯度、経度が正確に捉えられた場所の水深を検出することができる。
【０００８】
また、三次元データ作成手段は、水深検出装置に基づく深度情報データに観測時における水面水位データによる補正を加えて位置深度データを作成することができる。水深検出装置に基づく深度情報データに観測時における水面水位データによる補正を加えて位置深度データを作成するため、得られる位置深度データが観測時刻や観測点の標高の相違の影響を受けない正確なデータとすることができる。
【０００９】
前記位置情報データは、前記測量手段が水上をらせん状に航行することで検出した位置情報データであるものとすることができる。前記位置情報データを前記測量手段が水上をらせん状に航行することで検出した位置情報データとしたため、観測領域を大概的に網羅して観測することができ、また船の航行もし易いため、位置情報データ及び深度情報データを正確にかつ簡単に得ることができる。
【００１０】
前記測量手段は、前記位置情報データと前記深度情報データを三次元データ作成手段に送信する無線通信手段を備えることができる。前記測量手段が前記位置情報データと前記深度情報データを三次元データ作成手段に送信する無線通信手段を備えることとしたため、測量手段とは遠隔地にある三次元データ作成手段であっても三次元データ作成を行うことができる。
【００１１】
また、本発明は、位置情報データと深度情報データとを有する位置深度データに基づき、位置情報データを平面上にプロットしポイントを表示するポイント表示手段と、該ポイントを頂点とする原始三角形を形成する原始三角形形成手段と、前記位置深度データの有する深度情報データから前記原始三角形内に新たな創出ポイントを設け、原始三角形を消去して、前記ポイントと該創出ポイントの少なくとも何れか一方を頂点とする新規三角形を形成する再三角形形成手段と、前記平面上に形成された新規三角形に着色する着色表示手段と、を備え、着色された新規三角形の集合体を水底三次元画像とする水底三次元画像作成システムを提供する。
【００１２】
位置情報データと深度情報データとを有する位置深度データに基づき、位置情報データを平面上にプロットしポイントを表示するポイント表示手段と、該ポイントを頂点とする原始三角形を形成する原始三角形形成手段と、前記位置深度データの有する深度情報データから前記原始三角形内に新たな創出ポイントを設け、原始三角形を消去して、前記ポイントと該創出ポイントの少なくとも何れか一方を頂点とする新規三角形を形成する再三角形形成手段と、前記平面上に形成された新規三角形に着色する着色表示手段と、を備え、着色された新規三角形の集合体を水底三次元画像とするものとしたため、きめ細かくリアリティ豊かな水底三次元画像を得ることができる。なお、ここでいう「着色」には、白黒の濃淡を変える場合も含むものとする。本発明者は、このシステムを実行することにより水底三次元画像を得るための方法を「等高線相乗細分法」と命名する。
【００１３】
水底三次元画像作成システムにおいて、位置深度データの有する深度情報データから原始三角形内に等高線を作成する等高線形成手段を有し、再三角形形成手段が、該等高線上に新たな創出ポイントを設けるものとすることができる。等高線の間隔は任意に設定できるため、創出ポイントの数を任意に定めることで、所望のきめ細かさを有する水底三次元画像を作成することができる。
【００１４】
位置情報データに基づく前記プロットが、らせん状に繋がって視認される位置深度データであるものとすることができる。位置情報データに基づく前記プロットをらせん状に繋がって視認される位置深度データとしたため、らせんの交差点付近の立体形状を正確に捉えることができる。
【００１５】
また、地上三次元画像を付加するレイヤー積層手段を有するものとすることができる。地上三次元画像を付加するレイヤー積層手段を有するため、水底三次元画像と地上三次元画像を組み合わせることができ、地上三次元画像をも有する水底三次元画像を作成することができる。
【００１６】
この水底三次元画像作成システムにおいては、前記水底三次元測量システムを備えるものとすることができる。前記水底三次元測量システムを備えるものとしたため、地球上の正確な水平位置における正確な深度情報データを備えた水底三次元画像を得ることができる。
【００１７】
本発明はさらに、ＧＰＳ電波受信装置を有する位置検出装置にて位置情報データを獲得し、水深検出装置にて水面下の深度情報データを獲得し、位置情報データと深度情報データから位置深度データを作成する三次元データ作成手順を実行し、かつ該位置深度データに基づき、位置情報データを平面上にプロットしてポイントを表示し、該ポイントを結ぶ三角形を形成し、前記ポイントの有する深度情報データに基づいて該三角形内に創出ポイントを形成し、該ポイントと該創出ポイントの少なくとも何れか一方を頂点とする新規三角形を前記三角形に代えて形成し、該新規三角形に着色する水底三次元画像作成手順を実行する水底三次元画像作成方法を提供する。
【００１８】
ＧＰＳ電波受信装置を有する位置検出装置にて位置情報データを獲得し、水深検出装置にて水面下の深度情報データを獲得し、位置情報データと深度情報データから位置深度データを作成する三次元データ作成手順を実行し、かつ該位置深度データに基づき、位置情報データを平面上にプロットしてポイントを表示し、該ポイントを結ぶ三角形を形成し、前記ポイントの有する深度情報データに基づいて該三角形内に創出ポイントを形成し、該ポイントと該創出ポイントの少なくとも何れか一方を頂点とする新規三角形を前記三角形に代えて形成し、該新規三角形に着色する水底三次元画像作成手順を実行するものとしたため、きめ細かく正確な水底三次元画像を得ることができる。
【００１９】
この水底三次元画像作成方法は、新たに形成された新規三角形に基づいて、さらに創出ポイントを形成し、この創出ポイントをも含めてさらに新たな新規三角形を形成する手順を含むものとすることができる。
【００２０】
新たに形成された新規三角形に基づいて、さらに創出ポイントを形成し、この創出ポイントをも含めてさらに新たな新規三角形を形成する手順を含むものとすれば、さらにきめ細かい水底三次元画像を得ることができる。
【発明の効果】
【００２１】
本発明の水底三次元測量システムによれば、水底の測量を簡単にかつ正確に行うことができ、その水平位置もまた正確に捉えることができる。また、本発明の水底三次元画像作成システムおよび水底三次元画像作成方法によれば、水底の形状がきめ細かく高精度に再現されて立体的に見える水底三次元画像を平面上に形成することができる。
【発明を実施するための最良の形態】
【００２２】
水底三次元測量システム：  水底三次元測量をダムにおける水底測量を例にして具体的に説明する。図１で示すように、ダムの水上を航行する測量船１は、測量船１の水平位置をＧＰＳ電波に基づいて検出する位置検出装置２と、ダムの水深を検出する水深検出装置３、及び位置検出装置２から得られた位置情報データ（水平座標データ；Ｘ−Ｙ値）と、水深検出装置３から得られた水面下の深度情報データ（水深座標データ；Ｚ値）を入力し記憶させるコンピュータ装置４とを備え、測量手段を形成している。また、このコンピュータ装置４は、位置検出装置２から得られた位置情報データと、水深検出装置３から得られた深度情報データを統合し、処理して観測点（測地点）における位置深度データを作成する三次元データ作成手段としても機能している。
【００２３】
位置検出装置２：  位置検出装置２は、測量船１の観測点における水平位置、即ち、地球上における緯度、経度で表される正確な位置情報データを検出する。この位置情報データは、ＧＰＳ（Global  Positioning  System／汎地球測位システム）を利用した正確なものである。ＧＰＳとは、アメリカ合衆国で航空機、船舶等の航法支援のために開発されたシステムであり、地上約２万ｋｍを集回する６軌道上に合計３０個配置されるＧＰＳ衛星７と、このＧＰＳ衛星７の追跡と管制を行う管制局、測位を行うＧＰＳ電波受信機８で構成されるシステムである。ＧＰＳ衛星７の周期は１２時間であり、毎日同じ時刻に同じ衛星がやってくるようになっていて、通常、５〜７個の衛星が観測点から見える上空に位置している。ＧＰＳ衛星７からは、ＧＰＳ衛星７の軌道情報、原子時計の正確な時間情報などが含まれる電波が送信されており、この電波を受信することでＧＰＳ衛星７からＧＰＳ電波受信機８までの距離を測定する。ＧＰＳ電波受信機８の位置はＧＰＳ衛星７から得られた距離を半径とする球面上のどこかにあるから、３つＧＰＳ衛星７からの距離がわかれば、３つの球面が交わる２点の何れかであると決定できる。但し、ＧＰＳ電波受信機８の時計の精度の悪さが、ＧＰＳ衛星７の速度が速いことに起因して無視できない誤差となってしまうため、この誤差分をもう一つのＧＰＳ衛星７からの距離で修正することで正確な位置情報データが得られる。こうしたＧＰＳシステムを利用する位置検出装置２は、ＧＰＳ電波受信に必要なＧＰＳ電波受信機８と、アンテナ、モデムなどで構成される。
【００２４】
位置検出装置２は、１台のＧＰＳ電波受信機８だけで検出するいわゆる単独測位方式の他、観測点とは別の基地局でもＧＰＳ衛星７からの電波を受信して、このデータをもとに実際の測定値を補正する相対測位という方法を採ることもできる。また、海上を航行する測量船１の場合は、電波航法局からの電波も利用できるので、これに基づく位置情報データを利用することもできる。こうした場合には、基地局に置かれたＧＰＳ電波受信機８や、電波航法局からの電波受信機も位置検出装置２に含まれる。
【００２５】
水深検出装置３：  水深検出装置３は、水面にある測量船１から水底までの水深を正確に測定し、深度情報データを得る装置であり、魚群探知機や超音波測深機などの測深機９を利用することができる。これらの測深機９は超音波や音波（以下まとめて「音波」という）を発信し受信する発信機と受信機とを有し、発信機から発せられた音波が、水底に反射して受信機がその音波を受信するまでの時間を計測することで水深を測定するものである。測深機９には、原則として一束の音波を発するモノビーム方式と複数束の音波を発するマルチビーム方式とがあるが、モノビーム方式を用いることが好ましい。一度に複数束の音波を発することにより同時に多くの測深データが得られるマルチビーム方式は、音波の干渉の影響があり正確な測量が難しいからである。しかしながら、この音波の干渉を防ぐことができれば、一度に多くの観測点を得ることができるマルチビーム方式は有効であり、水深検出装置３として利用できるものである。
【００２６】
コンピュータ装置４：  コンピュータ装置４は、位置検出装置２から得られた位置情報データを入力、記憶させ、水深検出装置３から得られた深度情報データを入力、記憶させるものであるが、この位置情報データと深度情報データとを統合し、処理して観測点における位置深度データを作成、記憶させることもできる。通常、ＣＰＵなどの中央処理装置やハードディスクやメモリなどの補助記憶装置などを備え、必要な処理を実行するコンピュータプログラムを備えて構成されている。
【００２７】
測量船１：  測量船１は、位置検出装置２や水深検出装置３、コンピュータ装置４を装備することができ、水上に配置されるものであれば良く、推進力がある通常の船舶の他、他の船に牽引される推進力のない浮遊体のようなものであっても良い。また、自走式でも遠隔操作によって航行可能なものであっても良い。但し、装備される位置検出装置２の水面からの高さや、水深検出装置３の音波の発射角度の変動を抑える必要から、波や風の影響を受けにくい船を用いることが好ましい。
【００２８】
測量船１に装備される各種装置は、測量船１が航行する過程においてバランスが取れる位置に装備されることが好ましく、船舶であれば中央部分が好ましい。
【００２９】
水底三次元測量方法：  次に、水底三次元測量システムを用いて水底三次元測量を行う方法について説明する。まず、ＧＰＳ電波受信機８、測深機９、コンピュータ装置４などを測量船１に装備する。測深機９は、測量船１から真下に向かって音波を発するように船底に設置する。ＧＰＳ電波受信機８のアンテナは、測深機３との位置合わせのため測深機３の直上、換言すれば同一水平位置に設置することが好ましい。しかしながら、測深機３の直上に装備できない場合は、ＧＰＳ電波受信機８のアンテナと測深機３との位置を予め測定しておき、補正値として入力する。
【００３０】
測量船１の航行は、陸地に隣接する部分を陸地に沿って航行する第１の航行法、蛇腹状に航行する第２の航行法、半径５ｍ〜２０ｍ程度の渦巻きが徐々に移行してらせん状の航跡を描く第３の航行法などがあり、どのような航行法を採用しても良く、通常は第１の航行法と第２の航行法とを組み合わせて航行させるが、第１の航行法と第３の航行法とを組み合わせて航行する航行法を採用することが好ましい。第１の航行法に基づく観測点は、陸との間隔が短い部分であり、水際から遠くない位置におけるデータを取得する必要性から第１の航行法を採用する。第１の航行法の採用により水際と水底を高精度で繋ぐ水底三次元画像を得ることができる。また、第２の航行法を行うのは、なるべく重複測量をすることなく、測量領域を網羅的に観測する場合に適当だからである。そして、第３の航行法を行うのは、測量領域内を効果的に測量するとともに、モザイク的にならない現実的な水底三次元画像を得るためである。この第３の航行法は航跡が重なる地点を有するため、重複測量を行う可能性を有するが、航跡が重なる箇所の近傍ではデータ量が多くなりより緻密な測量が可能であって、かかる緻密に測量されたデータを有するため、水底三次元画像の作成において緻密な画像を作成することができる。
【００３１】
測量船１の速度は、遅ければ遅いだけ測地間隔を密にすることができ、また、水中を伝わる音波の速度が約１５００ｍ／秒であり測量船１の速度に比べて速いため、測量船１の速度を５０ノットを超える速度とすることもできる。しかしながら、要求される水底三次元画像の緻密さにもよるが、通常は１ノット〜３０ノット、好ましくは２ノット〜２０ノット程度で航行する。１ノットよりも遅いと測地領域を網羅する時間がかかりすぎたり、データ量が多くなりすぎてデータ処理が困難になるからであり、３０ノットを超えると測深点とＧＰＳ電波受信点との誤差が大きくなりすぎるからである。
【００３２】
測量船１を航行しながら、ＧＰＳ電波の受信と測深機９からの音波（以下「測深機音波」ともいう）の受信を行う。ＧＰＳ電波の受信は通常１０回／秒程度とすることができ、測深機音波の受信は通常１回／秒〜１０回／秒程度とすることができる。すなわち、所定時刻ｔｎごとにＧＰＳ電波受信機８でＧＰＳ電波を受信して位置情報データをコンピュータ装置４に記憶する。また、所定時刻Ｔｎごとに測深機９で音波を受信して深度情報データをコンピュータ装置４に記憶する。場合によっては、基地局で得られたＧＰＳ電波や、電波航法局からの電波も利用して位置情報データの補正用データとしてコンピュータ装置４に記憶する。こうして、測定時間範囲における所定の時間間隔での連続的な位置情報データおよび深度情報データを得る。
【００３３】
ＧＰＳ電波の受信と測深機音波の受信に際し、例えば時刻Ｔにおける観測点Ｐにおいて、ＧＰＳ電波を受信するとともに測深機音波を受信することができれば、ＧＰＳ電波と測深機音波の同期の問題が発生せずに位置深度データを得ることができる。しかしながら、ＧＰＳ電波と測深機音波の受信頻度が異なる場合が多く、また、水底の深度が未知であることから測深機音波の受信時刻は予測できないため、測深機音波の受信時刻ちょうどにＧＰＳ電波を受信するように予め設定することができない。そこで、ＧＰＳ電波と測深機音波を同期させる必要がある。
【００３４】
ＧＰＳ電波と測深機音波の同期は次のようにして行う。まず第１の方法としては、ＧＰＳ電波の受信時刻と測深機音波の発信時刻を同期させる方法である。これは、コンピュータ装置４に内蔵される制御装置からＧＰＳ電波受信機８に対し、受信時刻を決定する信号を送出する一方、測深機９に対し、音波の発信時刻を決定する信号を送出し、同時刻においてＧＰＳ電波の受信と測深機音波の発信を行うものである。
【００３５】
第２の方法もまた、ＧＰＳ電波の受信時刻と測深機音波の発信時刻を同期させる方法である。この方法は、ＧＰＳ電波受信機８で受信するＧＰＳ電波の受信周期と受信時刻を、コンピュータ装置４に内蔵する制御装置で検出し、次のＧＰＳ電波の受信時刻を予測し、その時刻に合わせて測深機９から音波を発するよう制御装置から測深機９に信号を送信する方法である。
【００３６】
第３の方法は、これまでの方法が測深機音波の発信時刻と同期させていたのに対し、測深機音波の受信時刻をＧＰＳ電波の受信時刻と同期させる方法である。この方法は、例えば図２で示すように、ＧＰＳ電波の受信時刻が７時００分００．１０秒、７時００分００．２０秒、７時００分００．３０秒・・・・である一方、その時間内における測深機音波の受信時刻が７時００分２３秒の１回だけであれば、測深機音波の受信時刻である７時００分２３秒における深度情報データ（図２では、Ｚ深度＝−１５００ｍ）を採用するとともに、７時００分２３秒に直近の７時００分００．２０秒におけるＧＰＳ電波からの位置情報データ（図２では、Ｘ緯度＝３３−３０−３５．７２と、Ｙ経度＝１３３−３６−３４．７１）を採用する。そして、一組の位置深度データ（Ｘ緯度＝３３−３０−３５．７２，Ｙ経度＝１３３−３６−３４．７１，Ｚ深度＝−１５００ｍ）を作成することでＧＰＳ電波と測深機音波の同期を完成する。この手法は、受信頻度の少ない測深機音波を基準として、その受信時刻に直近の時刻におけるＧＰＳ電波のデータを採用するものである。こうした手法を採用しても、現状においてはＧＰＳ電波の受信頻度が１０回／秒を確保できるため、測量船１の速度が３０ノット（約５５．５ｋｍ／ｈ）であったとしても次のＧＰＳ電波受信までの間に約１．５ｍしか進まないため、誤差はこれより小さいことから実用上許容できる範囲にあるからである。なお、測量船１の速度がこれより遅ければ誤差はさらに小さくなることは明らかである。
【００３７】
測深機音波の受信を基準に同期させる第３の方法の場合は、測深機音波から得られた深度情報データと、その測深機音波の受信時刻とから、深度情報データと受信時刻相互の関係を補正することが好ましい。例えば前記の例で測深機音波の受信時刻が７時００分２３秒の際の深度情報データは、Ｚ深度＝−１５００ｍであるが、深度＝−１５００ｍを測定するためには音波の水中の速度が１５００ｍ／秒とすると音波の発信から受信まで２．０秒かかることになる。そのため、Ｚ深度＝−１５００ｍの観測点は、測量船１が時刻７時００分２３秒にあった時ではなく、それより１．０秒遅い７時００分２２秒にあった時である。このように、得られた深度情報データから測深機音波の受信時刻をフィードバックして深度情報データを得た時間を予め補正しておくことが好ましい。
【００３８】
深度情報データには別の観点からの修正を加えることも好ましい。水深検出装置３で得られる深度情報データは水面からの距離を表わすものである。そのため、この深度情報データには、観測点がどれだけの標高にあるか、あるいは、海上での観測による場合にはどれだけの干満があるかによって、測量の基準点からの深度とは異なるものになる。そこで、観測点の標高と、観測時刻に基づく干満の状況等などに基づく水面水位データを補足して深度情報データとすることが好ましいのである。
【００３９】
こうして、位置検出装置２から得られた位置情報データと、水深検出装置３から得られた深度情報データを融合させて観測点における位置深度データを作成する。図１のコンピュータ装置４では、位置情報と深度情報を同期させ、融合する三次元データ作成手段としての機能を備えるものであり、このコンピュータ装置４に読み込まれたコンピュータプログラムにより、コンピュータ装置４内のCPUなどの中央処理装置がプログラムに基づく演算処理を行う。しかしながら、コンピュータ装置４に無線装置等を接続し無線通信手段として機能させ、位置情報データと深度情報データとを送信可能とすれば、遠隔地に備えた受信機にてこれらのデータを受信し、測量船１内に装備するコンピュータ装置４とは別のコンピュータ装置を三次元データ作成手段として機能させることができる。
【００４０】
水底三次元画像作成システム：  次に、位置深度データから水底三次元画像を作成する水底三次元画像作成システムについて説明する。
【００４１】
本システムでは、水底における地物の形状を精細に再現することができるように前述の位置深度データを用いることが好ましい。地上における位置情報データはＧＰＳ電波に基づく測量が最も正確な手法の一つであるが、電波は水中には届かないため、水面を基準にして位置情報データはＧＰＳ電波に基づき取得し、水中における測深機における深度情報データと融合させた前記位置深度データが、水底における位置座標を最も正確に表したものの一つと考えられるからである。しかしながら、別の手法によって得られた水底における位置座標を表すデータの利用を否定するものではなく、そうしたデータの利用も本発明の範囲に含まれるものである。以下では前記位置深度データを用いた例について説明する。
【００４２】
水底三次元画像の作成過程を図３のフローチャートに示す。まず、水底三次元画像を作成するコンピュータ装置に、位置深度データを入力する（ＳＴ１０）。このコンピュータ装置は、測量船１に搭載したコンピュータ装置４を利用するものであっても良いし、陸上に別途準備して設けてあるコンピュータ装置であっても良い。そして、観測点における位置情報データと深度情報データを有する位置深度データから、深度情報データは無視して位置情報データに基づき、平面上に（Ｘ，Ｙ）座標をプロットする（ＳＴ２０）。平面のＸ方向には位置情報データのうちの経度が示され、Ｙ方向には位置情報データのうちの緯度が示される。これらのプロットは、測量船１からの観測に基づくデータを使用しているため、測量船１の航跡上に表れる。図４には、陸地に隣接する部分を陸地に沿って航行する第１の航行法と、渦巻きが徐々に移行してらせん状の航跡を描く第３の航行法により観測した観測点から得たプロットが連続した点として描かれた図を示す。このプロットの連続は航跡を表わしている。なお、図４において、一つの方眼は１０ｍ×１０ｍである。
【００４３】
次に、できるだけ小さく正三角形に近い三角形を描くようにこれらのプロットされた点どうしを結び三角形網を形成する（ＳＴ３０）。得られた三角網を図５（一方眼は１０ｍ×１０ｍ）に示す。ここで形成する三角形を原始三角形とする。この原始三角形ができた様子を図６に示す。三角形網を形成する各原始三角形はそれぞれの頂点が観測点に対応するため、平面上には隠れているがＺ方向に向かう深度情報データを有している。この深度情報データは水面から、あるいは一定の海面（東京湾の平均海面）などからの水深を示す。
【００４４】
次に、この原始三角形をもとに、観測点に基づくポイントとは別の新たなポイントを導入する（ＳＴ４０）。このポイントを創出ポイントとする。創出ポイントの形成にはいくつかの方法がある。まず、第１の方法は、原始三角形の頂点の有する深度情報データに基づき、各原始三角形内に、予め定めた所定の間隔に基づく等高線（等深線）を描く。予め定めた所定の間隔とは、等高線の大きさは通常は地図の縮尺に応じて一定の高度間隔で描かれることが決まっているので、通常はこれにならい例えば５万分の一程度に縮尺されて描かれる程度の大きさの観測領域であれば２０ｍ間隔で主曲線、１００ｍ間隔で計曲線を描くようにする。但し、これは一例にすぎず任意に設定することが可能である。
【００４５】
２０ｍ間隔で主曲線を形成する場合、ある一つの三角形△ＡＢＣの各頂点の深度情報データが、Ａ＝−１１８ｍ、Ｂ＝−１３０ｍ、Ｃ＝−１３５ｍとすれば、この△ＡＢＣ内に辺ＡＢと辺ＡＣに交差する−１２０ｍの主曲線が一本描かれる。このとき、辺ＡＢとこの等高線が交差する位置は、点Ａおよび点Ｂの深度情報データから線形に一義的に導かれる。辺ＡＣとこの等高線の交差する位置も同様にして導かれる。こうした等高線の形成処理を各原始三角形に対して行うのである。等高線が得られれば、その等高線上の任意のポイントは、全て同じ深度情報データ（Ｚ値）を有しているため、等高線上の任意の点を創出ポイントとして形成することができるのである。創出ポイントの選定の際は、等高線の間隔が密な急峻なところでは多く、等高線の間隔が疎ななだらかなところでは少なく選定することが好ましい。等高線の間隔が密で急峻な場所ほど高低差が激しいからである。図７には、観測点に基づくポイントをもとに原始三角形を形成し、原始三角形から等高線を引いた状態で（創出ポイントを導入せずに）原始三角形と等高線に基づいて着色した図を示す。
【００４６】
創出ポイント形成のための第２の方法は、原始三角形の各辺を二等分割した中点と頂点とを結ぶ線分（中線）を引き、その交点を創出ポイントとするものである。すなわち、原始三角形の重心を創出ポイントとする。こうして得られた創出ポイントも座標（Ｘ，Ｙ，Ｚ）が確定している。
【００４７】
創出ポイントを形成した後、観測点に基づくポイントと、この創出ポイントをもとにして、先に原始三角形を形成したのと同じ方法で新たな三角形を形成する（ＳＴ５０）。得られた三角形網を図８（一方眼は１０ｍ×１０ｍ）に示す。この新たに形成された三角形を新規三角形とする。この新規三角形ができた様子を図９に示す。図９では図６で示す三角形網がより小さな三角形網に変化していることがわかる。新規三角形形成の際には、原始三角形は消去する。新規三角形が形成されれば原始三角形は不要となり、平面上に残されていると却って新規三角形がわかりにくくなるからである。
【００４８】
新規三角形は、観測点に基づくポイントに創出ポイントが加えられているため、新規三角形は原始三角形に比べてさらに小さく形成され、よりきめ細かな水底三次元画像を形成することができるのである。
【００４９】
この新規三角形の形成は、必要により何度も繰り返し行うことができる。すなわち、最初に形成された新規三角形をもとにして改めて創出ポイントを形成し、この創出ポイントを含めてさらに新規三角形を形成することができるからである。こうしてさらに小さな新規三角形を得ることができる。
【００５０】
最後に、太陽を想定した任意の位置と各新規三角形との交差角度等を計算し、それに基づいて各三角形を色付けする。すなわち、各新規三角形に濃淡や色調を変化させた着色を施す（ＳＴ６０）この際、ある所定の深さ以上の箇所を目立たせるなどの理由から、等高線を境界として一つの三角形内を色分けすることも可能である。こうして、平面上に色づけされた三角形の集合は、立体的に見ることができる水底三次元画像として得られる。得られた水底三次元画像を図１０（一方眼は１０ｍ×１０ｍ）に、そしてその拡大図を図１１に示す。また、参考のため、再三角形形成手段を用いずに仕上げた水底三次元画像を図１２（一方眼は１０ｍ×１０ｍ）に、その拡大図を図１３に示す。再三角形形成手段を用いないと、モザイク状に粗い画像となることがわかる。
【００５１】
水底三次元画像は、種々の方法で得られた陸上の三次元画像と融合させることができる。陸上の三次元画像は少なくとも任意の二点の位置情報データが明確であれば、水底三次元画像との位置合わせができる。
【００５２】
以上のＳＴ１０〜ＳＴ６０の処理を行う水底三次元画像作成システム１１の構成を図１４に示す。水底三次元画像作成システム１１は、位置情報データを平面上にプロットしポイントを表示するポイント表示手段１２や新規三角形に着色する着色表示手段１３として機能するＣＲＴやプリンタなどの三次元表示装置１４、ポイントを頂点とする原始三角形を形成する原始三角形形成手段１５や新たな創出ポイントを設けて新規三角形を形成する再三角形形成手段１６として機能し、ＣＰＵやＲＯＭ、ＲＡＭなどを有する中央処理装置１７、各種指示を入力するキーボードなどの入力装置１８を備えたコンピュータ装置１９で構成される。このコンピュータ装置１９は、メモリなどに位置深度データを読み込み、内蔵されたコンピュータプログラムにて中央処理装置１７に各種処理を実行させ、表示装置１４に処理結果を出力する。
【００５３】
以下に、いくつかの本発明により得られた水底三次元画像の実例を示す。まず、図１５に示すのは、高知県南国市十市前の浜１０００ｍ沖の水底三次元画像である。昔より土佐湾沖沿に黒田郷があったとする仮説があるが、この図から白鳳時代の地震（白鳳地震津波；６８４年（Ｍ８．４））により陥没してしまったのではないかと推定できる。また、別の例として図１６に示すのは、土佐湾大山礁における漁場を表す水底三次元画像である。
【００５４】
さらに、図１７および図１８に示すのは、高知県安芸郡北川村にある平鍋ダムの水底三次元画像である。この図は、平鍋ダムの地上部分と、ダムの水面下にある水底形状をともに立体的に示している。
【産業上の利用可能性】
【００５５】
本発明の水底三次元測量システムや水底三次元画像作成システムは、水底の深浅測量への応用に期待できる。例えば、ダムの水底の深浅測量を行うことで、ダム底に堆積した土砂量を測定し、どれだけの土砂を浚渫しなければならないかを計算したり、定期的に測量を行うことで土砂の堆積量の変化を管理したりすることができる。また、海や川などの埋め立てを行う際には、埋め立てに必要な土砂量を計算することができるし、工事の過程で、実際にどれだけ確実に作業を行うことができているかの確認をすることができる。さらに、海峡などの陸地と海の間が狭い場所などの水底測量を簡単に行うことができ、船舶の安全な運行に寄与することができる。
【００５６】
本発明はさらに、ＧＩＳ（Geographical  Information  Systems／地理情報システム）として活用することができ、水底三次元画像に種々の情報を付加した図を作成することができる。例えば、図１９で示すように、水底三次元画像に魚の種類、漁獲高を示したグラフを付加することができる。
【図面の簡単な説明】
【００５７】
【図１】本発明の水底三次元測量システムに用いられる測量船を示す外観模式図である。
【図２】ＧＰＳ電波と測深機音波の同調を説明する説明図である。
【図３】本発明の水底三次元画像作成システムの実行過程を示すフローチャートである。
【図４】測量船の航跡を平面上に描いた図である。
【図５】原始三角形を描いた図である。
【図６】原始三角形を示す図５の部分拡大図である。
【図７】観測点から原始三角形と等高線とを示し原始三角形に着色した図である。
【図８】新規三角形を描いた図である。
【図９】新規三角形を示す図８の部分拡大図である。
【図１０】本発明の水底三次元画像作成システムにより描いた水底三次元画像である。
【図１１】図１０の部分拡大図である。
【図１２】再三角形形成を行わずに描いた水底三次元画像である。
【図１３】図１２の部分拡大図である。
【図１４】本発明の水底三次元画像作成システムの一実施形態を示すブロック図である。
【図１５】本発明の水底三次元画像作成システムにより描いた別の水底三次元画像である。
【図１６】本発明の水底三次元画像作成システムにより描いたまた別の水底三次元画像である。
【図１７】本発明の水底三次元画像作成システムにより描いたさらに別の水底三次元画像である。
【図１８】本発明の水底三次元画像作成システムにより描いたさらにまた別の水底三次元画像である。
【図１９】付加情報を付した水底三次元画像である。
【図２０】従来の測深方法により得られる水深情報を示したグラフを模式的に表した図である。
【符号の説明】
【００５８】
１    観測船
２    位置検出装置
３    水深検出装置
４    コンピュータ装置
７    ＧＰＳ衛星
８    ＧＰＳ電波受信装置
９    測深機
１１    水底三次元画像作成システム
１２    ポイント表示手段
１３    着色表示手段
１４    三次元表示装置
１５    原始三角形形成手段
１６    再三角形形成手段
１７    中央処理装置
１８    入力装置
１９    コンピュータ装置
【図１】
2007309824.tif 000003
【図２】
2007309824.tif 000004
【図３】
2007309824.tif 000005
【図１４】
2007309824.tif 000006
【図２０】
2007309824.tif 000007
【図４】
2007309824.tif 000008
【図５】
2007309824.tif 000009
【図６】
2007309824.tif 000010
【図７】
2007309824.tif 000011
【図８】
2007309824.tif 000012
【図９】
2007309824.tif 000013
【図１０】
2007309824.tif 000014
【図１１】
2007309824.tif 000015
【図１２】
2007309824.tif 000016
【図１３】
2007309824.tif 000017
【図１５】
2007309824.tif 000018
【図１６】
2007309824.tif 000019
【図１７】
2007309824.tif 000020
【図１８】
2007309824.tif 000021
【図１９】
2007309824.tif 000022
【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
ＧＰＳ電波受信装置を有する位置検出装置と水深検出装置とを備え水上を移動して位置と深度を観測する測量手段と、ＧＰＳ電波に基づく位置情報データと水面下の深度情報データから位置深度データを作成する三次元データ作成手段とを備える水底三次元測量システムを有し、
該水底三次元測量システムで得られた位置深度データに基づき、位置情報データを平面上にプロットしたポイントを表示するポイント表示手段と、
該ポイントを頂点とする原始三角形を形成する原始三角形形成手段と、
前記位置深度データの有する深度情報データに基づいて前記原始三角形内に新たな創出ポイントを設け、原始三角形を消去して、前記ポイントと該創出ポイントを頂点とする新規三角形を形成する再三角形形成手段と、
前記平面上に形成された新規三角形に着色する着色表示手段と、
を備え、着色された新規三角形の集合体を水底三次元画像とする水底三次元画像作成システム。
【請求項２】
三次元データ作成手段は、水深検出装置に基づく深度情報データに観測時における水面水位データによる補正を加えて位置深度データを作成する請求項１記載の水底三次元画像作成システム。
【請求項３】
前記位置情報データは、前記測量手段が水上をらせん状に航行することで検出した位置情報データである請求項１または請求項２記載の水底三次元画像作成システム。
【請求項４】
前記測量手段は、前記位置情報データと前記深度情報データを三次元データ作成手段に送信する無線通信手段を備える請求項１〜請求項３何れか１項記載の水底三次元画像作成システム。
【請求項５】
位置情報データと深度情報データとを有する位置深度データに基づき、位置情報データを平面上にプロットしたポイントを表示するポイント表示手段と、
該ポイントを頂点とする原始三角形を形成する原始三角形形成手段と、
前記位置深度データの有する深度情報データに基づいて前記原始三角形内に新たな創出ポイントを設け、原始三角形を消去して、前記ポイントと該創出ポイントを頂点とする新規三角形を形成する再三角形形成手段と、
前記平面上に形成された新規三角形に着色する着色表示手段と、
を備え、着色された新規三角形の集合体を水底三次元画像とする水底三次元画像作成システム。
【請求項６】
原始三角形形成手段が、できるだけ小さい三角形となるようにポイントどうしを結び三角形網を形成するものである請求項１〜請求項５何れか１項記載の水底三次元画像作成システム。
【請求項７】
前記位置深度データの有する深度情報データから前記原始三角形内に等高線を作成する等高線形成手段を有し、
前記再三角形形成手段が、該等高線上に新たな創出ポイントを設けるものである請求項１〜請求項６何れか１項記載の水底三次元画像作成システム。
【請求項８】
創出ポイントが、原始三角形の重心である請求項１〜請求項６何れか１項記載の水底三次元画像作成システム。
【請求項９】
再三角形形成手段が、できるだけ小さい三角形となるように、位置情報データに基づいてプロットしたポイントと創出ポイントから選択して頂点として結んだ新規三角形を形成して三角形網を得るものである請求項１〜請求項８何れか１項記載の水底三次元画像作成システム。
【請求項１０】
再三角形形成手段が、既存の新規三角形に基づいて、さらに別の創出ポイントを形成し、この創出ポイントをも含めてさらに別の新たな新規三角形を形成して三角形網を得るものである請求項９記載の水底三次元画像作成システム。
【請求項１１】
位置情報データに基づく前記プロットが、らせん状に繋がって視認される位置深度データである請求項１〜請求項１０何れか１項記載の水底三次元画像作成システム。
【請求項１２】
地上三次元画像を付加するレイヤー積層手段を有する請求項１〜請求項１１何れか１項記載の水底三次元画像作成システム。
【請求項１３】
ＧＰＳ電波受信装置を有する位置検出装置にて位置情報データを獲得し、水深検出装置にて水面下の深度情報データを獲得し、位置情報データと深度情報データからこれらのデータを統合した位置深度データを作成する三次元データ作成手順を実行し、かつ
該位置深度データに基づき、位置情報データを平面上にプロットして該平面上にポイントを表示し、該ポイントを結ぶ三角形を形成し、前記ポイントの有する深度情報データに基づいて該三角形内に創出ポイントを形成し、該ポイントと該創出ポイントを頂点とする新規三角形を前記三角形に代えて形成し、該新規三角形に着色する水底三次元画像作成手順を実行する水底三次元画像作成方法。
【請求項１４】
既存の新規三角形に基づいて、さらに別の創出ポイントを形成し、この創出ポイントをも含めてさらに別の新たな新規三角形を形成する手順を含む請求項１３記載の水底三次元画像作成方法。
【手続補正３】
【補正対象書類名】明細書
【補正対象項目名】０００１
【補正方法】変更
【補正の内容】
【０００１】
本発明は、水底に存する地形や構築物の形状を捉えるための水底三次元測量システムを用いて測量したデータから水底地物を鳥瞰図で表出する水底三次元画像作成システム、および水底三次元画像作成方法に関する。
【手続補正４】
【補正対象書類名】明細書
【補正対象項目名】０００５
【補正方法】変更
【補正の内容】
【０００５】
すなわち本発明は、ＧＰＳ電波受信装置を有する位置検出装置と水深検出装置とを備え、水上を移動して位置と深度を観測する測量手段と、ＧＰＳ電波に基づく位置情報データと水面下の深度情報データから位置深度データを作成する三次元データ作成手段とを備える水底三次元測量システムを有し該水底三次元測量システムで得られた位置深度データに基づき、位置情報データを平面上にプロットしたポイントを表示するポイント表示手段と、該ポイントを頂点とする原始三角形を形成する原始三角形形成手段と、前記位置深度データの有する深度情報データに基づいて前記原始三角形内に新たな創出ポイントを設け、原始三角形を消去して、前記ポイントと該創出ポイントを頂点とする新規三角形を形成する再三角形形成手段と、前記平面上に形成された新規三角形に着色する着色表示手段と、を備え、着色された新規三角形の集合体を水底三次元画像とする水底三次元画像作成システムを提供する。
【手続補正５】
【補正対象書類名】明細書
【補正対象項目名】００１１
【補正方法】変更
【補正の内容】
【００１１】
位置情報データと深度情報データとを有する位置深度データに基づき、位置情報データを平面上にプロットしポイントを表示するポイント表示手段と、該ポイントを頂点とする原始三角形を形成する原始三角形形成手段と、前記位置深度データの有する深度情報データから前記原始三角形内に新たな創出ポイントを設け、原始三角形を消去して、前記ポイントと該創出ポイントの少なくとも何れか一方を頂点とする新規三角形を形成する再三角形形成手段と、前記平面上に形成された新規三角形に着色する着色表示手段と、を備え、着色された新規三角形の集合体を水底三次元画像とする水底三次元画像作成システムである。
【手続補正６】
【補正対象書類名】明細書
【補正対象項目名】００２１
【補正方法】変更
【補正の内容】
【００２１】
本発明における水底三次元測量システムによれば、水底の測量を簡単にかつ正確に行うことができ、その水平位置もまた正確に捉えることができる。また、本発明の水底三次元画像作成システムおよび水底三次元画像作成方法によれば、水底の形状がきめ細かく高精度に再現されて立体的に見える水底三次元画像を平面上に形成することができる。
【手続補正７】
【補正対象書類名】明細書
【補正対象項目名】００５５
【補正方法】変更
【補正の内容】
【００５５】
本発明の水底三次元画像作成システムは、水底の深浅測量への応用に期待できる。例えば、ダムの水底の深浅測量を行うことで、ダム底に堆積した土砂量を測定し、どれだけの土砂を浚渫しなければならないかを計算したり、定期的に測量を行うことで土砂の堆積量の変化を管理したりすることができる。また、海や川などの埋め立てを行う際には、埋め立てに必要な土砂量を計算することができるし、工事の過程で、実際にどれだけ確実に作業を行うことができているかの確認をすることができる。さらに、海峡などの陸地と海の間が狭い場所などの水底測量を簡単に行うことができ、船舶の安全な運行に寄与することができる。
【手続補正８】
【補正対象書類名】明細書
【補正対象項目名】００５７
【補正方法】変更
【補正の内容】
【００５７】
【図１】本発明における水底三次元測量システムに用いられる測量船を示す外観模式図である。
【図２】ＧＰＳ電波と測深機音波の同調を説明する説明図である。
【図３】本発明の水底三次元画像作成システムの実行過程を示すフローチャートである。
【図４】測量船の航跡を平面上に描いた図である。
【図５】原始三角形を描いた図である。
【図６】原始三角形を示す図５の部分拡大図である。
【図７】観測点から原始三角形と等高線とを示し原始三角形に着色した図である。
【図８】新規三角形を描いた図である。
【図９】新規三角形を示す図８の部分拡大図である。
【図１０】本発明の水底三次元画像作成システムにより描いた水底三次元画像である。
【図１１】図１０の部分拡大図である。
【図１２】再三角形形成を行わずに描いた水底三次元画像である。
【図１３】図１２の部分拡大図である。
【図１４】本発明の水底三次元画像作成システムの一実施形態を示すブロック図である。
【図１５】本発明の水底三次元画像作成システムにより描いた別の水底三次元画像である。
【図１６】本発明の水底三次元画像作成システムにより描いたまた別の水底三次元画像である。
【図１７】本発明の水底三次元画像作成システムにより描いたさらに別の水底三次元画像である。
【図１８】本発明の水底三次元画像作成システムにより描いたさらにまた別の水底三次元画像である。
【図１９】付加情報を付した水底三次元画像である。
【図２０】従来の測深方法により得られる水深情報を示したグラフを模式的に表した図である。
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
ＧＰＳ電波受信装置を有する位置検出装置と水深検出装置とを備え水上を移動して位置と深度を観測する測量手段と、ＧＰＳ電波に基づく位置情報データと水面下の深度情報データから位置深度データを作成する三次元データ作成手段とを備える水底三次元測量システムを有し、
該水底三次元測量システムで得られた位置深度データに基づき、位置情報データを平面上にプロットしたポイントを表示するポイント表示手段と、
該ポイントを頂点とする原始三角形を形成する原始三角形形成手段と、
前記位置深度データの有する深度情報データに基づいて前記原始三角形内に新たな創出ポイントを設け、原始三角形を消去して、前記ポイントと該創出ポイントを頂点とする新規三角形を形成する再三角形形成手段と、
前記平面上に形成された新規三角形に着色する着色表示手段と、
を備え、着色された新規三角形の集合体を水底三次元画像とする水底三次元画像作成システムであって、
前記再三角形形成手段が、前記位置深度データの有する深度情報データから前記原始三角形内に等高線を作成する等高線形成手段から得られた等高線上に新たな創出ポイントを設けるか、または前記原始三角形の重心に新たな創出ポイントを設けるものである水底三次元画像作成システム。
【請求項２】
三次元データ作成手段は、水深検出装置に基づく深度情報データに観測時における水面水位データによる補正を加えて位置深度データを作成する請求項１記載の水底三次元画像作成システム。
【請求項３】
前記位置情報データは、前記測量手段が水上をらせん状に航行することで検出した位置情報データである請求項１または請求項２記載の水底三次元画像作成システム。
【請求項４】
前記測量手段は、前記位置情報データと前記深度情報データを三次元データ作成手段に送信する無線通信手段を備える請求項１〜請求項３何れか１項記載の水底三次元画像作成システム。
【請求項５】
位置情報データと深度情報データとを有する位置深度データに基づき、位置情報データを平面上にプロットしたポイントを表示するポイント表示手段と、
該ポイントを頂点とする原始三角形を形成する原始三角形形成手段と、
前記位置深度データの有する深度情報データに基づいて前記原始三角形内に新たな創出ポイントを設け、原始三角形を消去して、前記ポイントと該創出ポイントを頂点とする新規三角形を形成する再三角形形成手段と、
前記平面上に形成された新規三角形に着色する着色表示手段と、
を備え、着色された新規三角形の集合体を水底三次元画像とする水底三次元画像作成システムであって、
前記再三角形形成手段が、前記位置深度データの有する深度情報データから前記原始三角形内に等高線を作成する等高線形成手段から得られた等高線上に新たな創出ポイントを設けるか、または前記原始三角形の重心に新たな創出ポイントを設けるものである水底三次元画像作成システム。
【請求項６】
位置情報データに基づく前記プロットが、らせん状に繋がって視認される位置深度データである請求項１〜請求項５何れか１項記載の水底三次元画像作成システム。
【請求項７】
地上三次元画像を付加するレイヤー積層手段を有する請求項１〜請求項６何れか１項記載の水底三次元画像作成システム。
【請求項８】
ＧＰＳ電波受信装置を有する位置検出装置にて位置情報データを獲得し、水深検出装置にて水面下の深度情報データを獲得し、位置情報データと深度情報データからこれらのデータを統合した位置深度データを作成する三次元データ作成手順を実行し、かつ
該位置深度データに基づき、位置情報データを平面上にプロットして該平面上にポイントを表示し、該ポイントを結ぶ三角形を形成し、該ポイントの有する深度情報データに基づいて該三角形内に等高線を作成して該等高線上に創出ポイントを形成するか、または該三角形の重心に創出ポイントを形成し、該ポイントと該創出ポイントを頂点とする新規三角形を前記三角形に代えて形成し、該新規三角形に着色する水底三次元画像作成手順を実行する水底三次元画像作成方法。
【請求項９】
既存の新規三角形に基づいて、さらに別の創出ポイントを形成し、この創出ポイントをも含めてさらに別の新たな新規三角形を形成する手順を含む請求項８記載の水底三次元画像作成方法。
【手続補正２】
【補正対象書類名】明細書
【補正対象項目名】０００５
【補正方法】変更
【補正の内容】
【０００５】
すなわち本発明は、ＧＰＳ電波受信装置を有する位置検出装置と水深検出装置とを備え水上を移動して位置と深度を観測する測量手段と、ＧＰＳ電波に基づく位置情報データと水面下の深度情報データから位置深度データを作成する三次元データ作成手段とを備える水底三次元測量システムを有し、該水底三次元測量システムで得られた位置深度データに基づき、位置情報データを平面上にプロットしたポイントを表示するポイント表示手段と、該ポイントを頂点とする原始三角形を形成する原始三角形形成手段と、前記位置深度データの有する深度情報データに基づいて前記原始三角形内に新たな創出ポイントを設け、原始三角形を消去して、前記ポイントと該創出ポイントを頂点とする新規三角形を形成する再三角形形成手段と、前記平面上に形成された新規三角形に着色する着色表示手段と、を備え、着色された新規三角形の集合体を水底三次元画像とする水底三次元画像作成システムであって、前記再三角形形成手段が、前記位置深度データの有する深度情報データから前記原始三角形内に等高線を作成する等高線形成手段から得られた等高線上に新たな創出ポイントを設けるか、または前記原始三角形の重心に新たな創出ポイントを設けるものである水底三次元画像作成システムを提供する。
【手続補正３】
【補正対象書類名】明細書
【補正対象項目名】００１１
【補正方法】変更
【補正の内容】
【００１１】
また、本発明は、位置情報データと深度情報データとを有する位置深度データに基づき、位置情報データを平面上にプロットしたポイントを表示するポイント表示手段と、該ポイントを頂点とする原始三角形を形成する原始三角形形成手段と、前記位置深度データの有する深度情報データに基づいて前記原始三角形内に新たな創出ポイントを設け、原始三角形を消去して、前記ポイントと該創出ポイントを頂点とする新規三角形を形成する再三角形形成手段と、前記平面上に形成された新規三角形に着色する着色表示手段と、を備え、着色された新規三角形の集合体を水底三次元画像とする水底三次元画像作成システムであって、前記再三角形形成手段が、前記位置深度データの有する深度情報データから前記原始三角形内に等高線を作成する等高線形成手段から得られた等高線上に新たな創出ポイントを設けるか、または前記原始三角形の重心に新たな創出ポイントを設けるものである水底三次元画像作成システムを提供する。
【手続補正４】
【補正対象書類名】明細書
【補正対象項目名】００１２
【補正方法】変更
【補正の内容】
【００１２】
位置情報データと深度情報データとを有する位置深度データに基づき、位置情報データを平面上にプロットしたポイントを表示するポイント表示手段と、該ポイントを頂点とする原始三角形を形成する原始三角形形成手段と、前記位置深度データの有する深度情報データから前記原始三角形内に新たな創出ポイントを設け、原始三角形を消去して、前記ポイントと該創出ポイントを頂点とする新規三角形を形成する再三角形形成手段と、前記平面上に形成された新規三角形に着色する着色表示手段と、を備え、着色された新規三角形の集合体を水底三次元画像とするものとしたため、きめ細かくリアリティ豊かな水底三次元画像を得ることができる。なお、ここでいう「着色」には、白黒の濃淡を変える場合も含むものとする。本発明者は、このシステムを実行することにより水底三次元画像を得るための方法を「等高線相乗細分法」と命名する。
【手続補正５】
【補正対象書類名】明細書
【補正対象項目名】００１７
【補正方法】変更
【補正の内容】
【００１７】
本発明はさらに、ＧＰＳ電波受信装置を有する位置検出装置にて位置情報データを獲得し、水深検出装置にて水面下の深度情報データを獲得し、位置情報データと深度情報データからこれらのデータを統合した位置深度データを作成する三次元データ作成手順を実行し、かつ該位置深度データに基づき、位置情報データを平面上にプロットして該平面上にポイントを表示し、該ポイントを結ぶ三角形を形成し、該ポイントの有する深度情報データに基づいて該三角形内に等高線を作成して該等高線上に創出ポイントを形成するか、または該三角形の重心に創出ポイントを形成し、該ポイントと該創出ポイントを頂点とする新規三角形を前記三角形に代えて形成し、該新規三角形に着色する水底三次元画像作成手順を実行する水底三次元画像作成方法を提供する。